(57)【要約】  【課題】従来のようにゴルフクラブをヘッドスピード別に区分けせず、従来なかった新たな指標に基づいて区分けされたゴルフクラブを提供する。  【解決手段】ゴルフクラブ１０は、ゴルフクラブシャフト１４と、ゴルフクラブシャフト１４の一方の端に設けられたゴルフクラブヘッド１２と、ゴルフスウィング時のゴルフボール打撃直前のゴルフクラブ１０の打撃方向に向けて回転するゴルフクラブ１０の回転エネルギ量Ｅに基づいてゴルフクラブを区分けした情報が表示された識別表示体２０と、を有する。【選択図】図１
2005334231.tif 000002
【特許請求の範囲】
【請求項１】
ゴルフクラブシャフトと、
ゴルフクラブシャフトの一方の端に設けられたゴルフクラブヘッドと、
ゴルフスウィング時のゴルフボール打撃直前のゴルフクラブの打撃方向に向けて回転するゴルフクラブの回転エネルギ量に基づいてゴルフクラブを区分けした情報が表示された識別表示部と、を有することを特徴とするゴルフクラブ。
【請求項２】
前記回転エネルギ量は、前記ゴルフクラブ長さ、前記ゴルフクラブの総質量、前記慣性モーメントおよび前記ゴルフクラブの重心点位置が既知のゴルフクラブをゴルファがゴルフスウィングすることによって求められるゴルファのゴルフスウィング固有の量である請求項１に記載のゴルフクラブ。
【請求項３】
前記回転エネルギ量は、前記ゴルフクラブ長さ、前記ゴルフクラブの総質量、前記慣性モーメントおよび前記重心点位置が既知であって、これらのうち少なくとも１つの値が異なる複数種類のゴルフクラブをゴルフスウィングすることによって求められた量である請求項２に記載のゴルフクラブ。
【請求項４】
前記識別表示部は、前記回転エネルギ量に加えて、さらに打撃方向に向けてゴルフクラブが回転する際のゴルフクラブの回転半径に基づいてゴルフクラブを区分けした情報が表示されている請求項１〜３のいずれか１項に記載のゴルフクラブ。
【発明の詳細な説明】
【技術分野】
【０００１】
本発明は、ゴルファが自分のゴルフスウィングに適したゴルフクラブを効率よく選択することのできるゴルフクラブに関する。
【背景技術】
【０００２】
ゴルファはゴルフボールを遠くに飛球させるために、長尺ゴルフクラブや反発特性の優れたゴルフクラブを求めている。
ゴルファがゴルフスウィングしたときのヘッドスピードは、ゴルフクラブの仕様、例えばゴルフクラブ長さ、ゴルフクラブの総質量あるいはゴルフクラブのバランス等によって変化することが知られている。このため、ヘッドスピードを上昇させてゴルフボールを遠くに飛球させる、自分に適したゴルフクラブを探し出すために、ゴルファは多数のゴルフクラブを試打する必要がある。
また、同じゴルフクラブであっても、ゴルファによってヘッドスピードが上昇したり、ヘッドスピードの上昇が見られない場合も多い。
【０００３】
ところで、従来からゴルフスウィングの特性の評価は、ゴルフボールによる打撃直前のヘッドスピードを用いて行われている。そして、ヘッドスピードの大小の評価に応じてゴルファを大まかに分類し、この分類毎に異なる仕様のゴルフクラブを提供することが行われている。
しかし、ヘッドスピードはゴルファに固有のものではなく、ゴルファのゴルフスウィングとゴルフクラブの仕様との組み合わせによって定まる結果である。このため、ゴルファ個々に自分に適したゴルフクラブを探し出してもらうために、ゴルフクラブの仕様によって評価が変化するヘッドスピードを指標とするのでは、正確にゴルファのゴルフスウィングを分類して、各分類毎に適したゴルフクラブを提供することは難しい。
したがって、ゴルファが自分に適したゴルフクラブを選択するには、ゴルファによる多数のゴルフクラブの試打が大前提となっている。このため、自分に最適なゴルフクラブは試打するゴルフクラブの中からしか選択できず、必ずしも自分に最適なゴルフクラブを見つけ出すことができるとは限らない。
【０００４】
一方、ゴルフクラブ開発業者は、ヘッドスピードによって区分けされたゴルファの平均的なゴルフスウィングを想定して、ゴルファが最適と感ずる仕様のゴルフクラブを設計して市場に提供しているが、必ずしもゴルファ個々のゴルフスウィングに対して最大のヘッドスピードを呈するゴルフクラブを提供しているものでもない。
【発明の開示】
【発明が解決しようとする課題】
【０００５】
そこで、本発明は、従来のようにゴルフクラブをヘッドスピード別に区分けせず、従来なかった新たな指標に基づいて区分けされたゴルフクラブを提供することを目的とする。
【課題を解決するための手段】
【０００６】
上記目的を達成するために、本発明は、ゴルフクラブシャフトと、ゴルフクラブシャフトの一方の端に設けられたゴルフクラブヘッドと、ゴルフスウィング時のゴルフボール打撃直前のゴルフクラブの打撃方向に向けて回転するゴルフクラブの回転エネルギ量に基づいてゴルフクラブを区分けした情報が表示された識別表示部と、を有することを特徴とするゴルフクラブを提供する。
【０００７】
ここで、前記回転エネルギ量は、前記ゴルフクラブ長さ、前記ゴルフクラブの総質量、前記慣性モーメントおよび前記ゴルフクラブの重心点位置が既知のゴルフクラブをゴルファがゴルフスウィングすることによって求められるゴルファのゴルフスウィング固有の量である。その際、前記回転エネルギ量は、前記ゴルフクラブ長さ、前記ゴルフクラブの総質量、前記慣性モーメントおよび前記重心点位置が既知であって、これらのうち少なくとも１つの値が異なる複数種類のゴルフクラブをゴルフスウィングすることによって求められた量であるのが好ましい。
【０００８】
また、前記識別表示部は、前記回転エネルギ量に加えて、さらに打撃方向に向けてゴルフクラブが回転する際のゴルフクラブの回転半径に基づいてゴルフクラブを区分けした情報が表示されているのが好ましい。なお、前記回転半径とは、ゴルフクラブの基準とする位置から、ゴルフクラブが打撃方向に向けて回転する際の回転中心位置までの距離である。ゴルフクラブの基準とする位置は、例えばゴルフクラブのグリップ端である。あるいはゴルフクラブの重心位置であってもよく、又ゴルフクラブヘッドのヒール側端であってもよい。少なくとも基準とする位置がゴルファにわかるように定められていることが好ましい。
また、前記回転半径をすべてのゴルファに共通の値として例えばＸ＝０として用いてもよく、ゴルフクラブを前記回転エネルギ量によって区分けしてもよい。
【発明の効果】
【０００９】
本発明のゴルフクラブでは、ゴルフスウィング時のゴルフボール打撃直前のゴルフクラブの打撃方向に向けて回転するゴルフクラブの回転エネルギ量を指標としてゴルフクラブが区分けされる。このため、ゴルファはゴルフスウィングに固有の回転エネルギ量を既知として自分のゴルフスウィングに適したゴルフクラブを選択することができる。
さらに、回転半径を併用することで、ゴルフクラブをより一層区分けすることができ、ゴルファは、自分に固有の回転エネルギ量及び回転半径を既知として、自分のゴルフスウィングに適したゴルフクラブをより正確に選択することができる。
【発明を実施するための最良の形態】
【００１０】
以下、本発明のゴルフクラブについて、添付の図面に示される好適実施例を基に詳細に説明する。
【００１１】
図１（ａ）は、本発明のゴルフクラブの一例を示す図である。
図１（ａ）に示すゴルフクラブ１０は、ゴルフクラブヘッド１２、ゴルフクラブシャフト１４、及びグリップ１６を有するウッド系ゴルフクラブである。
図１（ａ）中、ゴルフクラブ１０の重心点Ｇはグリップエンドの上端から距離ｌ(この距離を重心位置lという)の位置にある、ゴルフクラブシャフト１０の中心軸Ｓ上の点である。
図１（ｂ）に示すようにゴルフクラブ１０を水平面Ｐの上に置き、この水平面Ｐに対して角度６０度で傾斜した傾斜面Ｑをゴルフクラブヘッド１２のソール面に当て、ゴルフクラブシャフト１０の延長線上にある水平面と傾斜面との交差点１８を定めたとき、ゴルフクラブの長さＬは、交差点１８からグリップ上端１９までの距離となる。ゴルフクラブの長さＬは、財団法人日本ゴルフ協会発行の「ゴルフ規則  ２００４年度版」付属規則II.1.cに定める測定法により測定される。
【００１２】
ゴルフクラブヘッド１２には、ゴルフクラブ１０を区分けした情報を有する識別表示体２０がシールの形態で設けられ、文字、数字、記号等によって表示されている。この区分けした情報に応じて、ゴルフクラブの使用対象のゴルファが規定される。
具体的には、ゴルフクラブの使用対象のゴルファは、ゴルフスウィング時のゴルフボール打撃直前のゴルフクラブの打撃方向に向けて回転するゴルフクラブの回転エネルギ量によって規定される。この回転エネルギ量は、後述するようにゴルファのゴルフスウィングに固有の量であり、仕様の異なるゴルフクラブによってゴルファのヘッドスピードが変化しても、後述するように不変な量である。
本発明のゴルフクラブは、この回転エネルギ量により、ゴルフクラブを区分けし、この各区分けを識別表示体２０に情報として表示したものである。この識別表示体２０は、ゴルフクラブヘッドのクラウン部の他、サイド部、ソール部、ネック部等に設けられてもよく、あるいは、ゴルフクラブシャフト１４に設けられてもよい。
【００１３】
例えば、上記回転エネルギ量が１５０〜１８０（ｋｇ・ｍ2／秒2）をタイプＡ、１８１〜２３０（ｋｇ・ｍ2／秒2）をタイプＢ、２３１〜２８０（ｋｇ・ｍ2／秒2)をタイプＣとした情報を識別表示体２０に表示する。
ゴルファは、この識別表示体２０に表示されている情報をみて自分に適したゴルフクラブを多数のゴルフクラブの中から選択することができる。
【００１４】
識別表示体２０には、回転エネルギ量とともに、さらに打撃方向に向けてゴルフクラブが回転する際のゴルフクラブの回転半径に基づいてゴルフクラブを区分けした情報を表示してもよい。ゴルフクラブの回転半径は、回転エネルギ量と同様にゴルファのゴルフスウィングに固有の値であり不変な値であることから、回転エネルギ量と回転半径とによりゴルフクラブを区分けした情報を表示する識別表示体２０をゴルフクラブヘッドに設け、使用対象のゴルファを規定することができる。例えば、上記タイプＡを細分化してゴルフクラブの回転半径が０〜２００（ｍｍ）はタイプＡ１とし、回転半径が２０１〜４００（ｍｍ）はタイプＡ２等とし、タイプＢ，Ｃについても同様にタイプＢ１,Ｂ２,タイプＣ１，Ｃ２等と設定して、ゴルフクラブを区分けしてもよい。
【００１５】
このようなゴルフボールの打撃直前のゴルフクラブの回転エネルギ量及びゴルフクラブの回転半径について、以下に具体的に説明する。
図２は、ゴルフクラブ１０を把持してゴルファがゴルフスウィングを行う時のゴルフクラブ１０の挙動を模式的に説明する図である。
ゴルフクラブ１０はゴルフボール２１を打撃する直前、ゴルフクラブヘッド１２は点Ｏを中心とする円運動をし、ゴルフクラブシャフト１４はゴルフボール２１と点Ｏ（円運動の中心点）を結ぶ直線上に概略一致する。すなわち、ゴルフスウィング時のゴルフボール打撃直前において、点Ｏを中心として、ゴルフクラブの打撃方向（図２、図１（ａ）中のＤ方向）に向けてゴルフクラブは回転運動を行う。点Ｏは、ゴルフクラブの重心点Ｇからグリップ方向のゴルフクラブシャフトの中心軸の延長線上に位置する。この点Ｏはゴルファのゴルフスウィングに応じた固有の位置にある。
【００１６】
一方、ゴルフクラブヘッド１２のゴルフボール２０を打撃する直前のヘッドスピードは、ヘッドスピード計測装置１４で計測される。ヘッドスピード計測装置１４は、公知の計測装置であって、ビーム射出ユニット２２と、受光ユニット２４と、計測ユニット２６とを有して構成される。
計測ユニット２６は、２つの光ビームのそれぞれをゴルフクラブヘッド１２が横切ることで光ビームの受光が中断されるタイミングのずれを計測してヘッドスピードを算出する。
ヘッドスピード計測装置１４は、インパクト直前のヘッドスピードを計測するために、インパクト直前のゴルフクラブヘッド軌道径路に沿って配置され、ゴルフボールの中心より飛球方向後方４０ｍｍを始点として、さらに飛球線方向後方に１００ｍｍ離れた位置までの区間にそれぞれ光ビームが配置されるのが望ましい。
【００１７】
図３は、ゴルファの行うゴルフスウィングのヘッドスピードから回転エネルギ量及び回転半径を算出する方法を示すフローチャートである。
このような方法は、計測されたヘッドスピードをコンピュータに入力することで、コンピュータ内でソフトウェア処理により回転エネルギ量Ｅ及び回転半径Ｘを算出することができる。
【００１８】
まず、ゴルファによってゴルフクラブの仕様が異なるゴルフクラブＡおよびゴルフクラブＢを用いてゴルフスウィングが行われる。ゴルフクラブＡは、ゴルフクラブの打撃方向にゴルフクラブが回転するときの、ゴルフクラブ１０の重心点Ｇ回りのゴルフクラブの慣性モーメントＩca、ゴルフクラブの長さＬa、ゴルフクラブの総質量Ｗaおよびゴルフクラブの重心点位置ｌaの値が既知である。ここで、慣性モーメントＩcaは、ゴルフクラブシャフトの中心軸Ｓの方向（図１（ａ）参照）およびゴルフクラブの打撃方向（Ｄ方向；図１（ａ）参照）に直交する方向を軸とする重心点Ｇ回りの慣性モーメントである。一方ゴルフクラブＢも、ゴルフクラブ１０の重心点Ｇ回りの慣性モーメントＩcｂ、ゴルフクラブの長さＬｂ、ゴルフクラブの総質量Ｗｂおよびゴルフクラブの重心点位置ｌｂの値が既知である。ゴルフクラブＡとＢとはゴルフクラブの仕様が異なっており、慣性モーメント、ゴルフクラブの長さ、ゴルフクラブの総質量およびゴルフクラブの重心点位置のいずれか１つが異なっている。
このようなゴルフクラブＡ，Ｂにおけるゴルフボール打撃直前のヘッドスピードＨＳa，ＨＳbがヘッドスピード計測装置１４を用いて計測されてコンピュータに取得される（ステップＳ１０）。
【００１９】
次に、上記ゴルフクラブＡ，Ｂの慣性モーメント、ゴルフクラブの長さ、ゴルフクラブの総質量およびゴルフクラブの重心点位置の値と、ヘッドスピードから、下記式（１）を用いて、回転半径Ｘと回転エネルギ量Ｅが算出される（ステップＳ１２，ステップＳ１４）。
回転半径Ｘは、図２に示されるようにグリップ上端１９から点Ｏまでの距離である。
【００２０】
１／２・［Ｉｃ＋Ｗ・（Ｘ＋ｌ）2］・[ＨＳ／（Ｘ＋Ｌ）］2  ＝Ｅ    （１）
【００２１】
具体的には、回転エネルギ量Ｅはゴルファのゴルフスウィング固有の値であり、仕様の異なるゴルフクラブに関わらず回転エネルギＥは一定である。このため、式（１）の回転エネルギ量Ｅが一定であることから、まず、下記式（２）を回転半径Ｘに関する方程式として回転半径Ｘが算出される（ステップＳ１２）。
【００２２】
１／２・［Ｉca＋Ｗa・(Ｘ＋ｌa）2］・[ＨＳa／（Ｘ＋Ｌa）］2
＝１／２・［Ｉcb＋Ｗb・(Ｘ＋ｌb）2］・[ＨＳb／（Ｘ＋Ｌb）］2    （２）
【００２３】
回転半径Ｘは、図２に示すようにゴルフボール打撃直前のゴルフクラブの打撃方向に向かって回転する時の点Ｏとグリップ上端１９との間の距離を表す。回転半径Ｘは２０００ｍｍ以下の定数である。次に、この回転半径Ｘを用いて式（２）の左右両辺の値が回転エネルギ量Ｅとして算出される（ステップＳ１４）。
【００２４】
このように回転エネルギ量Ｅをゴルファのゴルフスウィングに固有の量として設定することができるのは、図４に示すようにゴルファＧa,Ｇbが設計パラメータの異なる種々のゴルフクラブを用いてスウィングしてヘッドスピードＨＳが様々に変化しても、ゴルファＧa,Ｇbのそれぞれに固有の回転エネルギ量Ｅとゴルフクラブの設計パラメータとを用いてゴルファのヘッドスピードを予測算出することができるからである。しかも、ヘッドスピードの計測結果と算出結果の相関係数Ｒ2が０．９９０と極めて高い。
より相関係数を高くするには、回転半径Ｘを考慮してヘッドスピードを計算するとよい。
【００２５】
図４は、横軸をゴルフクラブの質量とし、縦軸をヘッドスピードとしたグラフを示す。図４中、黒塗りのプロットは計測されたヘッドスピードであり、白抜きのプロットは既知とする回転エネルギ量Ｅから算出されたヘッドスピードである。図４中、ゴルファＧa,Ｇbは互いに回転エネルギ量Ｅが異なり、ゴルファＧa,Ｇbの別にヘッドスピードが２つに分かれるとともに、計測結果と算出結果とが極めて良好に対応している。
【００２６】
なお、図３に示す例では、２つのゴルフクラブＡ，Ｂを用いて回転半径Ｘおよび回転エネルギ量Ｅを算出するが、本発明では、仕様の異なる少なくとも２本以上のゴルフクラブを用いて算出することができる。例えば３本のゴルフクラブを用いて回転エネルギ量Ｅを算出する場合、３本のゴルフクラブの回転エネルギ量の偏差が最小となるように定数Ｘを求め、このときの３本の回転エネルギ量の平均値を回転エネルギ量Ｅとして設定すればよい。
【００２７】
こうしてゴルファは自分のゴルフスウィングにおける回転エネルギ量Ｅ及び回転半径Ｘを知ることができ、回転エネルギ量Ｅ及び回転半径Ｘでゴルフクラブを区分けした文字、数字、記号等の情報によって、自分に適したゴルフクラブが否かを知ることができる。すなわち、ゴルファは、識別表示体２０に表示される文字、数字、記号等の情報が自分に適したゴルフクラブを表す情報であるか否かを調べることにより、多数のゴルフクラブの中から自分に適したゴルフクラブを選択することができる。
ヘッドスピードにより区分けされている従来のゴルフクラブでは、ゴルフクラブの仕様によってヘッドスピード自体が変化するため、ゴルファのゴルフスウィングに対して最大のヘッドスピードを呈する最適な仕様のゴルフクラブは、実際に試打して計測をしなければならなかった。しかし、ゴルファ自身の回転エネルギ量Ｅを知ることにより、さらに回転半径Ｘを知ることにより、最適なヘッドスピードを呈するゴルフクラブを、識別表示体２０の表示内容に基づいて選択することができる。
【００２８】
上記回転エネルギ及び回転半径を用いて、最適なヘッドスピードを呈するゴルフクラブの設計は以下のようにして行うことができる。
例えば、予め回転エネルギＥを多段階に区分けして、それぞれ各区分毎に目標ヘッドスピードを定める。このようなヘッドスピードは、例えば実際のゴルファのヘッドスピードと回転エネルギ量Ｅとの関係から、実際のヘッドスピードより例えば１０％高い目標ヘッドスピードが予め設定される。
【００２９】
次に、回転エネルギＥによって区分けされた各区分けにおける回転エネルギ量Ｅの中心値と目標ヘッドスピードがコンピュータに取り込まれる。
次に、式（１）を用いて、ゴルフクラブの設計パラメータ（慣性モーメントＩc、ゴルフクラブの長さＬ、ゴルフクラブの総質量Ｗおよびゴルフクラブの重心点位置ｌ）の拘束条件が設定される。
さらに、設定された拘束条件を用いて、各設計パラメータの値を定めた組みが１組以上設定される。その際、回転半径Ｘを多段階に区分けして、各区分毎の回転半径Ｘの中心値を定める。上記拘束条件は設計パラメータ間の関係が制限されるだけなので、設計パラメータの値の組みを無限に設定することができる。しかし、例えばゴルフクラブの長さＬや総質量Ｗを所定の値又は所定の範囲に規定することにより、あるいは他の拘束条件によって上記設計パラメータの値のとり得る範囲を制限等して、各設計パラメータの値を定めた組みを複数設定することができる。
【００３０】
本発明では、式（１）を用いて設計パラメータの関係を拘束する拘束条件を用いて設計パラメータの値を設定する限りにおいて、どのような方法を別途併用してもよい。このように、回転エネルギ量Ｅ、さらには回転半径Ｘを設定してゴルフクラブを設計することができる。
【００３１】
図５（ａ），（ｂ）では、同一の回転エネルギ量Ｅ及び回転半径Ｘにおいて、ゴルフクラブの仕様が変化することでヘッドスピードがどのように変化するかを示している。すなわち、図５（ａ），（ｂ）は、ゴルフクラブの設計パラメータの一例としてゴルフクラブのクラブ長さＬによってヘッドスピードＨＳがどのように変化するかを示す図である。
図５（ａ）は、スウィングバランスが一定（Ｄ−０）としたときの、あるゴルファのヘッドスピードＨＳの変化を示す。この他に、１インチクラブ長さが長くなる毎にゴルフクラブシャフトの質量が１ｇ上昇し、グリップ質量が４０ｇと一定であり、かつゴルフクラブヘッドの質量が一定である条件を課している。図５（ｂ）は、ゴルフクラブヘッドの質量を１９０ｇとしたときの図５（ａ）と同じゴルファのヘッドスピードＨＳの変化を示す。
スウィングバランスとは、ゴルフクラブシャフトの中心軸Ｓと直交する軸回りの回転モーメントに関連した量である。現在、一般的には１４インチのスウィングバランス計を用いて測定する方法が主に行われる。この１４インチのスウィングバランス計は、ゴルフクラブの重心点Ｇからグリップ上端１９までの距離から１４インチ差し引いた値とゴルフクラブの総質量Ｗとの積に比例した尺度を求める測定器である。この測定器として株式会社三光精衡所製のスイングバランサーが挙げられる。
図５（ａ），（ｂ）からわかるように、課する条件の内容に応じてヘッドスピードＨＳの変化が大きく異なることがわかる。
【００３２】
なお、回転半径Ｘは、ゴルファによって定まるゴルフスウィングを特徴付ける定数であるが、回転半径Ｘをすべてのゴルファに共通の値として固定することもできる。このようにしても、図４に示すような算出結果と計測結果の相関は大きく異ならないことが確かめられている。この場合、算出されるヘッドスピードの値は、必ずしも実際の値と一致しないが、予め定められた補正を行うことで実際の値に一致させることができる。すなわち、回転半径Ｘをすべてのゴルファに共通の値として、例えばＸ＝０として、ゴルフクラブを区分けすることもできる。
【００３３】
以上、本発明のゴルフクラブについて詳細に説明したが、本発明は上記実施形態に限定されず、本発明の主旨を逸脱しない範囲において、種々の改良や変更をしてもよいのはもちろんである。
【図面の簡単な説明】
【００３４】
【図１】（ａ）はゴルフクラブの一例を示す斜視図であり、（ｂ）はゴルフクラブの各寸法を説明する図である。
【図２】ゴルフクラブを把持してゴルファがゴルフスウィングを行う時のゴルフクラブの挙動を説明する図である。
【図３】本発明のゴルフスウィング特性評価方法の一例の流れを示すフローチャートである。
【図４】ゴルフクラブの質量とヘッドスピードとの関係を示す図である。
【図５】（ａ），（ｂ）は、ゴルフクラブのゴルフクラブのクラブ長さに対するヘッドスピードの変化を示す図である。
【符号の説明】
【００３５】
１０  ゴルフクラブ
１２  ゴルフクラブヘッド
１４  ゴルフクラブシャフト
１６  グリップ
１８  起点
１９  端点
２０  識別表示体
２１  ゴルフボール
２２  ビーム射出ユニット
２４  受光ユニット
２６  計測ユニット
【図１】
2005334231.tif 000003
【図２】
2005334231.tif 000004
【図３】
2005334231.tif 000005
【図４】
2005334231.tif 000006
【図５】
2005334231.tif 000007